(57)【特許請求の範囲】
【請求項１】
一端部を支持板に回動自在に軸支した複数の偏向板の各他端部を一対の支持アームに支持し、各支持アームが支持している各一つの偏向板に設けた一対の方向切換え用ツマミによって前記一対の支持アームを介して前記複数の偏向板の向きを変えるようにした吹出し口装置において、
一端側に形成された長孔を介して一方の支持アームに連結され、他端側が他方の支持アームに固定連結された連結アームを設け、この連結アームにより一対の支持アームを伸縮自在にするとともに、
前記連結アームにより両方の支持アームに支持された偏向板の向きを同時に変えられかつ片側の支持アームに支持された偏向板の向きを単独で変えられるようにすると共に、各支持アームに支持された偏向板の向きを互いに内側に変えたとき、隣の支持アームに支持された偏向板の向きに対して平行より内側向きにならないように構成し、一方の方向切換え用ツマミの最初の操作時は全体の偏向板の向きを変えられ、さらに同一の方向切換え用ツマミを連続的に逆側に操作した場合は片側の支持アームに支持された偏向板のみの向きを外向き側に変えられるように構成したことを特徴とする吹出し口装置。
【発明の詳細な説明】
【０００１】
【発明の属する技術分野】
この発明は、温水暖房機の室内機などの吹出し口装置に関するものである。
【０００２】
【従来の技術】
図６は、従来の温水暖房機の室内機を示す側断面図である。図６において、１は本体、２は本体１の背面部（図中のＡ側）に形成する吸気口、３は吸気口２から入り込んだ空気を暖める温水熱交換器、４は温水熱交換器３で暖められた空気を風路ａを通じて吹出し口装置５へ送り込むラインフローファンである。そして、吹出し口装置５から出た暖かい空気即ち温風は吹出し板６を通過して本体１の前面部（図中のＢ側）から吹き出される。また、図７は吹出し口装置５の上断面図、図８は吹出し口装置５の要部の側断面図である。図７と図８において、吹出し口装置５は平板状の支持板７と、平板状の支持板７に対して水平方向に配置される帯状の支持アーム８と、帯状の支持アーム８の長手方向に所定間隔毎に設けられる複数の偏向板９と、複数の中の一枚の偏向板９の上部に固着する方向切替え用ツマミ１０とから構成する。そして、これらの部材はラインフローファン４から吹き出される温風の進行方向に対して左右対称の位置に一対として配置する。
【０００３】
次に、こうした構成を有する吹出し口装置５の動作について、図７と図８を併用して説明する。方向切替え用ツマミ１０を右側に移動した場合は支持アーム８が左側へ移動することにより、複数の偏向板９はその一端の上下部に設けられる軸ｂを支点として左上りに傾く。また、方向切替え用ツマミ１０を左側に移動した場合は支持アーム８が右側へ移動することにより、複数の偏向板９は軸ｂを支点として右上りに傾く。このように、方向切替え用ツマミ１０を右側あるいは左側へ移動することにより、ラインフローファン４から吹き出される温風を複数の偏向板９の傾斜面に沿った状態で本体１の前面部より左右の何れかの方向へ吹き出すことができる。
【０００４】
【発明が解決しようとする課題】
従来の温水暖房機の室内機は、前述のように吹出し口装置の複数の偏向板により、温風を左右の何れかの方向へ吹き出すなどして温度管理を行っている。しかし、右側に位置する複数の偏向板の方向切替え用ツマミを左側へ移動すると共に、左側に位置する複数の偏向板の方向切替え用ツマミを右側へ移動した場合は、一対の左右の偏向板が互いに内側に向くので吹出し口装置から出る温風の吹出し範囲が非常に狭くなる。このために、吹出し温風の温度が上昇するに伴って床面の温度は高くなり、床面の変色または床面の変形などを起こすという問題があった。
【０００５】
また、吹出し口装置から出る温風を右方向あるいは左方向へ吹き出すように設定する場合は、一対の左右の偏向板に固着される方向切替え用ツマミをそれぞれ移動する必要があるなどして煩わしい点があった。
【０００６】
この発明は、前述のような問題点を解決するためになされたもので、一対の左右の偏向板が互いに内側に向くことがなく、吹出し温風の温度上昇を抑制して床面の変色などを未然に防止するものである。また、左右の方向切替え用ツマミの何れか一方を移動することで、複数の偏向板により右方向あるいは左方向に温風を吹き出すことを可能としたものである。
【０００７】
【課題を解決するための手段】
この発明に係わる吹出し口装置は、一端部を支持板に回動自在に軸支した複数の偏向板の各他端部を一対の支持アームに支持し、各支持アームが支持している各一つの偏向板に設けた一対の方向切換え用ツマミによって前記一対の支持アームを介して前記複数の偏向板の向きを変えるようにした吹出し口装置において、一端側に形成された長孔を介して一方の支持アームに連結され、他端側が他方の支持アームに固定連結された連結アームを設け、この連結アームにより一対の支持アームを伸縮自在にするとともに、前記連結アームにより両方の支持アームに支持された偏向板の向きを同時に変えられかつ片側の支持アームに支持された偏向板の向きを単独で変えられるようにすると共に、各支持アームに支持された偏向板の向きを互いに内側に変えたとき、隣の支持アームに支持された偏向板の向きに対して平行より内側向きにならないように構成し、一方の方向切換え用ツマミの最初の操作時は全体の偏向板の向きを変えられ、さらに同一の方向切換え用ツマミを連続的に逆側に操作した場合は片側の支持アームに支持された偏向板のみの向きを外向き側に変えられるように構成したものである。
【０００９】
【発明の実施の形態】
実施の形態１．
図１〜図５は、この発明の温水暖房機に係る実施の形態１の吹出し口装置を示す上断面図である。図１において、従来例と同一の符号は同一または相当部分を示す。１１は右側に配列される複数の偏向板１２を支持する右側の支持アーム１３と左側に配列される複数の偏向板１４を支持する左側の支持アーム１５とを連結する帯状の連結アームである。ここで、帯状の連結アーム１１の拡大上面図を図２に示す。図２において、帯状の連結アーム１１の一側に細長状の透孔Ｃが形成され、この透孔Ｃの個所に右側の偏向板１２と右側の支持アーム１３との接続部ｄが水平方向であって、往復移動できるように係止される。
【００１０】
また、帯状の連結アーム１１の他側に形成する孔の個所に左側の偏向板１４と左側の支持アーム１５との接続部ｅが嵌着される。なお、透孔Ｃの水平方向の長さを長く設定することにより、右側の偏向板１２と左側の偏向板１４との外向き角度を大きくすることができる。これは、右側の支持アーム１３および左側の支持アーム１５が水平方向に往復移動する距離が長くなり、それに伴って右側の偏向板１２や左側の偏向板１４はその一端の上下部に設けられる軸ｆを支点として、大きく傾斜するためである。
【００１１】
次に、こうした構成を有する吹出し口装置５の動作について、図１および図３〜図５を併用して説明する。右側の方向切替え用ツマミ１６や左側の方向切替え用ツマミ１７をほぼ垂直状態に位置した場合は、図１に示すように連結アーム１１、右側の支持アーム１３、左側の支持アーム１５が共に水平状態であって中央部に配置する。そして、右側に配列される偏向板１２および左側に配列される偏向板１４は連結アーム１１に対して直交するように配置される。これにより、ラインフローファン４から吹き出した温風は垂直状態に配置する右側の偏向板１２や左側の偏向板１４に沿った状態で、吹出し板６を通過して水平方向に流れていく。
【００１２】
また、この後で一方即ち右側の方向切替え用ツマミ１６を左側に移動した場合は、図３に示すように連結アーム１１、右側の支持アーム１３、左側の支持アーム１５が一体となって右側へ移動する。これにより、右側の偏向板１２や左側の偏向板１４は、それらの一端の上下部に設けられる軸ｆを支点として右上りに傾く。したがって、ラインフローファン４から吹き出した温風は右上がりに傾いた状態で配列する右側の偏向板１２や左側の偏向板１４に沿った状態で、吹出し板６を通過して左斜め方向へと流れていく。
【００１３】
また、この後で他方即ち左側の方向切替え用ツマミ１７を右側に移動した場合は、図４に示すように連結アーム１１、右側の支持アーム１３、左側の支持アーム１５が一体となって左側へ移動する。これにより、右側の偏向板１２や左側の偏向板１４は、それらの一端の上下部に設けられる軸ｆを支点として左上りに傾く。したがって、温風は左上がりに傾いた状態で配列する右側の偏向板１２や左側の偏向板１４に沿った状態で吹出し板６を通過して右斜め方向へと流れていく。
【００１４】
また、左側の方向切替え用ツマミ１７を右側に移動させて右側の偏向板１２や左側の偏向板１４を左上りに傾かせた状態の後で、連続して左側の方向切替え用ツマミ１７を左側に移動した場合は、図５に示すように連結アーム１１と左側の支持アーム１５とが一体となって右側へ移動する。これにより、左側の偏向板１４はその一端の上下部に設けられる軸ｆを支点として右上りに傾く。したがって、右側の偏向板１２と左側の偏向板１４とは互いに外向きとなるように位置するため、温風は双方の偏向板に沿った状態で吹出し板６を通過して右斜め方向や左斜め方向へと流れ、吹出し板６から出る温風の吹出し範囲が広がる。
【００１５】
さらに、図３に示すように右側の偏向板１２や左側の偏向板１４が右上りに傾いた状態の後で、右側の方向切替え用ツマミ１６を右側に移動した場合は、右側の支持アーム１３の一端が連結アーム１１の面を沿うような状態で左側へ移動する。これにより、右側の偏向板１２はその一端の上下部に設けられる軸ｆを支点として左上りに傾く。したがって、前述と同様に右側の偏向板１２と左側の偏向板１４とは互いに外向きとなるように位置するため、吹出し温風はこれらの偏向板に沿った状態で吹出し板６を通過して右斜め方向や左斜め方向へと流れていく。
【００１６】
以上のように、こうした構成を有する吹出し口装置は右側の支持アーム１３と左側の支持アーム１５とが連結アーム１１により連結され、これらが一体となって水平方向に往復移動するので、右側に配列される複数の偏向板１２と左側に配列される複数の偏向板１４とは互いに内側を向くことがない。したがって、ラインフローファン４から吹き出る温風の範囲が狭くなることがなく、吹出し温風の温度上昇を抑制して床面の変色または床面の変形などを未然に防止することができる。また、左右の方向切替え用ツマミの何れか一方を移動することにより、左右に配列される全ての偏向板を同一方向に傾斜することができるので、吹出し温風の切替え操作が非常に簡便となる。
【００１７】
【発明の効果】
この発明は、以上説明したように構成されるので、以下に記載されるような効果を奏する。
【００１８】
この発明に係わる吹出し口装置は、一端部を支持板に回動自在に軸支した複数の偏向板の各他端部を一対の支持アームに支持し、各支持アームが支持している各一つの偏向板に設けた一対の方向切換え用ツマミによって前記一対の支持アームを介して前記複数の偏向板の向きを変えるようにした吹出し口装置において、一端側に形成された長孔を介して一方の支持アームに連結され、他端側が他方の支持アームに固定連結された連結アームを設け、この連結アームにより一対の支持アームを伸縮自在にするとともに、前記連結アームにより両方の支持アームに支持された偏向板の向きを同時に変えられかつ片側の支持アームに支持された偏向板の向きを単独で変えられるようにすると共に、各支持アームに支持された偏向板の向きを互いに内側に変えたとき、隣の支持アームに支持された偏向板の向きに対して平行より内側向きにならないように構成し、一方の方向切換え用ツマミの最初の操作時は全体の偏向板の向きを変えられ、さらに同一の方向切換え用ツマミを連続的に逆側に操作した場合は片側の支持アームに支持された偏向板のみの向きを外向き側に変えられるように構成したので、ラインフローファンから吹き出した温風の温度上昇を抑制して床面の変色などを未然に防止するとともに、方向切替え用ツマミの簡単な操作によりラインフローファンからの吹出し温風の向きを自由に替えることができる。
【図面の簡単な説明】
【図１】  この発明の吹出し口装置に係る実施の形態1を示す上断面図である。
【図２】  この発明の吹出し口装置の一構成部品に係る拡大上断面図である。
【図３】  実施の形態1における他の吹出し口装置の上断面図である。
【図４】  実施の形態1における他の吹出し口装置の上断面図である。
【図５】  実施の形態1における他の吹出し口装置の上断面図である。
【図６】  従来の吹出し口装置を設けた温水暖房機の側断面図である。
【図７】  従来の吹出し口装置の上断面図である。
【図８】  従来の吹出し口装置の一構成部品に係る拡大側断面図である。
【符号の説明】
本体、２  吸気口、３  温水熱交換器、４  ラインフローファン、５  吹出し口装置、６  吹出し板、７  支持板、８  支持アーム、９  偏向板、１０方向切替え用ツマミ、１１  連結アーム、１２  右側の偏向板、１３  右側の支持アーム、１４  左側の偏向板、１５  左側の支持アーム、１６  右側の方向切換え用ツマミ、１７  左側の方向切換え用ツマミ。
【図１】
0003805162.tif 000002
【図２】
0003805162.tif 000003
【図３】
0003805162.tif 000004
【図４】
0003805162.tif 000005
【図５】
0003805162.tif 000006
【図６】
0003805162.tif 000007
【図７】
0003805162.tif 000008
【図８】
0003805162.tif 000009